(57)【要約】【課題】耐久性の向上した表示装置およびそれを用いたピッキングシステムを提供すること。【解決手段】表示装置５は、表面側から順に確認指示部５Ａの位置が表示されたパネル５１と、可撓性材料からなるスイッチシート５２と、パネル５１およびスイッチシート５２を収容するメインケース５３と、確認指示部５Ａ用の光源（ＬＥＤ８Ａ）を備えた配線基板５４とを積層した構造を有している。スイッチシート５２は、パネル５１が外部から押圧されたときに互いに接触する複数の接点５２Ｄ、５２Ｅを備えたスイッチＳと、スイッチＳに電気的に接続され、その一部が配線基板５４に電気的に接続される接続端子５２Ｃとを備えている。【選択図】図３
2020021623.tif 000002
【特許請求の範囲】
【請求項１】
第１表示部の位置が表示されたパネルと、前記パネルの下層に配置された可撓性材料からなる面状のスイッチシートと、前記スイッチシートの下層に配置され、前記パネルおよび前記スイッチシートを収容するメインケースと、前記メインケースの下層に配置され、前記第１表示部に対応する位置に第１光源を備えた配線基板とを積層して構成される表示装置であって、
前記スイッチシートは、前記パネルが外部から押圧されたときに互いに接触する複数の接点を備えたスイッチと、前記スイッチに電気的に接続され、その一部が前記配線基板に電気的に接続される接続端子と、を備えることを特徴とする表示装置。
【請求項２】
前記接続端子は、前記スイッチシートの面内において、前記パネルの前記第１表示部に対応する位置と離間した位置に配置されていることを特徴とする請求項１記載の表示装置。
【請求項３】
請求項１または２記載の表示装置の第１表示部に示された指示に従って物品の仕分け作業を行うピッキングシステム。
【発明の詳細な説明】
【技術分野】
【０００１】
本発明は、表示装置およびそれを用いたピッキングシステムに関し、より詳しくは、表示装置の指示に従って多種多量の物品を仕分けするピッキングシステムに関する。
【背景技術】
【０００２】
流通センターなどにおいては、搬入された多種多量の物品を行く先毎に仕分ける作業がピッキングシステムによって行われている。
【０００３】
ピッキングシステムの一例として、仕分け対象となる多数の物品が保管された物品保管棚と、物品保管棚からピッキングした物品を集品箱に投入して搬送するコンベヤとを備えたものが知られている。
【０００４】
このようなピッキングシステムの場合、物品保管棚には、指定された物品を個別に収納する多数の保管箱や、管理コンピュータからの指令によって作業者にピッキングすべき物品の位置や数などを指示する多数の表示装置が配設される。
【０００５】
特許文献１には、上記のようなピッキングシステムにおいて使用される表示装置として、物品保管棚からピッキングすべき物品の位置を作業者に指示すると共に作業者がその指示を確認したことを管理コンピュータに知らせる照光式の確認指示部と、物品保管棚からピッキングすべき物品の数を作業者に指示するデジタル式の数量表示部とを備えた表示装置が開示されている。
【０００６】
また、特許文献２には、この種のピッキングシステムにおいて使用される表示装置の一例として、メカニカル方式の押動スイッチを備えたピッキング用表示装置が開示されている。
【先行技術文献】
【特許文献】
【０００７】
【特許文献１】特開２０１６−２２２４２６号公報
【特許文献２】登録実用新案第３００３３６４号公報
【発明の概要】
【発明が解決しようとする課題】
【０００８】
特許文献１に記載されたピッキングシステムでは、作業者は、表示装置によって指示された物品を物品保管棚からピッキングしてコンベヤ上の集品箱に投入した後、表示装置の確認指示部を手で押して投入作業が完了したことを管理コンピュータに知らせてから次の作業に移行する。
【０００９】
従来、この種の表示装置の確認指示部には、特許文献２に記載された表示装置のようなメカニカル方式の押動スイッチが採用されており、作業者が表示装置の表面に配設された確認指示部の照光ボタンを手で押すと、表示装置内の押動スイッチが作動して光源が消灯し、指示が完了する構造になっている。
【００１０】
しかしながら、上記のようなピッキングシステムでは、作業者が確認指示部の照光ボタンを手で押す作業を繰り返し行うため、メカニカル方式の押動スイッチを採用すると、照光ボタンに加わる衝撃によって押動スイッチに破損や摩耗が生じ易く、これが表示装置の耐久性を低下させる原因となっていた。
【００１１】
本発明は、上述した課題を解決するためになされたものであって、その目的は、耐久性の向上した表示装置を提供することにある。
【課題を解決するための手段】
【００１２】
本発明の表示装置は、表面側から順に第１表示部の位置が表示されたパネルと、可撓性材料からなるスイッチシートと、上記パネルおよび上記スイッチシートを収容するメインケースと、上記第１指示部用の光源を備えた配線基板とを積層した構造を有している。上記スイッチシートは、上記パネルが外部から押圧されたときに互いに接触する複数の接点を備えたスイッチと、上記スイッチに電気的に接続され、その一部が上記配線基板に電気的に接続される接続端子とを備える。
【発明の効果】
【００１３】
本発明によれば、耐久性の向上した表示装置およびそれを用いたピッキングシステムを実現することができる。
【図面の簡単な説明】
【００１４】
【図１】本発明の実施の形態に係るピッキングシステムの概略平面図である。
【図２】図１のピッキングシステムに使用される表示装置の正面図である。
【図３】図２に示す表示装置の分解斜視図である。
【図４】図２に示す表示装置の一部拡大断面図である。
【図５】図２に示す表示装置の一部拡大斜視図である。
【発明を実施するための形態】
【００１５】
以下、図面を参照しながら本発明の実施の形態を説明する。図１は、本実施の形態に係るピッキングシステムの概略平面図、図２は、図１のピッキングシステムに使用される表示装置の正面図、図３は、図２に示す表示装置の分解斜視図、図４は、図２に示す表示装置のスイッチシートの一部拡大断面図、図５は、図２に示す表示装置の一部拡大斜視図である
なお、以下では本発明の目的を達成するための説明に必要な範囲を主に説明することとし、説明を省略する箇所については公知技術によるものとする。
【００１６】
図１に示すように、本実施の形態に係るピッキングシステム１は、多種多量の物品を保管する物品保管棚２と、この物品保管棚２に並行して配置され、物品保管棚２からピッキングされた物品を投入する多数の集品箱３を搬送するベルトコンベヤ４とを備えている。
【００１７】
特に限定はされないが、本例の物品保管棚２は、ベルトコンベヤ４の進行方向に沿って４つのピッキングゾーン（ゾーンａ〜ゾーンｄ）に区画されており、ピッキングゾーン（ゾーンａ〜ゾーンｄ）のそれぞれは、さらに３つの間口部７に区画されている。図示は省略するが、各間口部７には、指定された物品を個別に収納する多数の保管箱が並べられている。
【００１８】
物品保管棚２の各間口部７には、管理コンピュータ（図示せず）からの指令によって作業者Ｍに物品のピッキング位置やピッキング数などを指示する多数の表示装置５が設けられている。これらの表示装置５は、物品保管棚２の水平方向に沿って配置され、管理コンピュータに接続されたケーブル（図示せず）を介して互いに接続されている。
【００１９】
ベルトコンベヤ４の近傍には、ベルトコンベヤ４の進行方向に沿って配置された多数のガイドランプ６が設けられている。ガイドランプ６のそれぞれは、互いに異なる色で発光する多色の発光ダイオード（ＬＥＤ）を備えており、ベルトコンベヤ４に載って移動する多数の集品箱３のうち所定の集品箱３に同期して所定の色で点灯するように構成されている。
【００２０】
上記のような構成を有するピッキングシステム１においては、物品保管棚２の各ゾーンａ〜ｄに配置された作業者Ｍが表示装置５を通じて指示される情報に従って物品保管棚２の所定の場所から所定の物品を所定の数だけピッキングした後、ピッキングした当該物品をベルトコンベヤ４上の集品箱３のうちガイドランプ６で示される位置の集品箱３に投入する。続いて、作業者Ｍは、表示装置５の確認指示部（後述）を手で押して確認指示部を作動させることにより、投入作業の完了を管理コンピュータに通知する。
【００２１】
作業者Ｍから投入作業の完了の通知を受けた管理コンピュータは、次にピッキングすべき物品の位置や数などの情報を表示装置５を通じて作業者Ｍに指示する。
【００２２】
図２に示すように、本実施の形態の表示装置５は、作業者Ｍが物品保管棚２からピッキングすべき物品の位置を指示すると共に、物品投入作業の完了後に作業者Ｍが手で押して作業の完了を管理コンピュータに通知する照光式の確認指示部（第１表示部）５Ａと、作業者Ｍが物品保管棚２からピッキングすべき物品の数を指示するデジタル式の数量表示部５Ｂとを備えている。
【００２３】
図３に示すように、表示装置５は、表面側から順にパネル５１、スイッチシート５２、メインケース５３および配線基板５４を積層した構造を有している。
【００２４】
表示装置５の表面を覆うパネル５１は、透明乃至半透明の合成樹脂板の一面に確認指示部５Ａおよび数量表示部５Ｂの位置を示すパターンを印刷したものである。
【００２５】
パネル５１の下層のスイッチシート５２は、パネル５１と略同一の寸法を有する合成樹脂やエラストマーなどの可撓性材料で構成されており、スイッチシート５２の一部には、フレキシブル配線基板やリード線などの柔軟な導電性基材からなる接続端子５２Ｃが設けられている。
【００２６】
スイッチシート５２には、パネル５１の確認指示部５Ａおよび数量表示部５Ｂに対応する箇所に、配線基板５４の光源（後述）から発せられた光をパネル５１に向けて透過させるための透光部５２Ａ、５２Ｂが設けられている。
【００２７】
接続端子５２Ｃは、作業者Ｍが確認指示部５Ａを手で押したときの衝撃が直接加わらないよう、スイッチシート５２の透光部５２Ａ（確認指示部５Ａに対応する箇所）から離間した箇所に配置されていることが好ましい。
【００２８】
スイッチシート５２の下層のメインケース５３は、パネル５１およびスイッチシート５２を収容する合成樹脂製のケースであり、パネル５１の確認指示部５Ａおよび数量表示部５Ｂに対応する箇所には、後述する配線基板５４の光源（ＬＥＤ）から発せられた光をパネル５１に向けて透過させるための透光部５３Ａ、５３Ｂが設けられている。また、メインケース５３の下面の四隅には、メインケース５３を配線基板５４に固定するための支柱５３Ｓがメインケース５３と一体に設けられている。
【００２９】
メインケース５３の下層の配線基板５４には、パネル５１の確認指示部５Ａおよび数量表示部５Ｂに対応する箇所にＬＥＤ８Ａ（第１光源）およびＬＥＤ８Ｂが設けられている。
【００３０】
また、配線基板５４には、図示しないケーブルが接続されており、このケーブルを通じてＬＥＤ８ＡおよびＬＥＤ８Ｂを作動させるための電源や管理コンピュータからの制御信号が供給される。
【００３１】
図４に示すように、スイッチシート５２には、接続端子５２Ｃ（図３参照）に接続された一対の下部接点５２Ｄ、５２Ｄと、下部接点５２Ｄ、５２Ｄに近接して配置された上部接点５２Ｅとで構成されるスイッチＳが内蔵されている。下部接点５２Ｄおよび上部接点５２Ｅは、カーボンフィルムや金属箔などの導電材料で構成されている。そして、作業者Ｍがパネル５１の確認指示部５Ａを手で押すと、その力がスイッチシート５２に伝わって上部接点５２Ｅが下方に押し下げられ、上部接点５２Ｅと下部接点５２Ｄ、５２Ｄとが接触するようになっている。
【００３２】
また、図５に示すように、接続端子５２Ｃの下端部は、配線基板５４の表面の接点５４Ａと接触するように配置されている。
【００３３】
このように、本実施の形態の表示装置５の一つの特徴は、作業者Ｍが手で押したときの衝撃が加わる箇所に配置されるスイッチとして、従来のようなメカニカル方式の押動スイッチではなく、メカニカルな部品を有しないスイッチシート５２を採用したことにある。
【００３４】
従って、作業者Ｍが前述した投入作業の完了時にパネル５１の確認指示部５Ａを手で押すと、スイッチシート５２の表面が配線基板５４方向に押し下げられ、スイッチシート５２のスイッチＳを構成する下部接点５２Ｄと上部接点５２Ｄとが導通するので、配線基板５４の回路（ＣＰＵを含む）が確認指示部５Ａ用の光源（ＬＥＤ８Ａ）を消灯すると共に、管理コンピュータに投入作業の完了を通知する。
【００３５】
以上のように、本実施の形態の表示装置５は、パネル５１の下層のスイッチシート５２を可撓性材料からなるスイッチシート５２で構成したので、メカニカル方式の押動スイッチを採用した従来の表示装置に比べると、作業者Ｍがパネル５１の確認指示部５Ａを手で押したときの衝撃がスイッチＳに加わり難いだけでなく、このような衝撃に起因してメカニカルな部品の摩耗や破損が生じることもない。
【００３６】
従って、本実施の形態によれば、耐久性の向上した表示装置５およびそれを用いたピッキングシステム１を実現することができる。
【００３７】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【００３８】
前記実施の形態の表示装置５は、確認指示部５Ａと数量表示部５Ｂとを備えているが、これに限定されるものではなく、少なくとも確認指示部５Ａを備えたものであれば、本発明を適用することができる。
【００３９】
前記実施の形態のピッキングシステム１の構成は、ピッキングシステムの一例であって、これに限定されるものではなく、表示装置５の指示に従って物品の仕分け作業を行うピッキングシステムであれば、本発明を適用することができる。
【符号の説明】
【００４０】
１：ピッキングシステム
２：物品保管棚
３：集品箱
４：ベルトコンベヤ
５：表示装置
５Ａ：確認指示部（第１表示部）
５Ｂ：数量表示部
６：ガイドランプ
７：間口部
８Ａ：ＬＥＤ（第１光源）
８Ｂ：ＬＥＤ
５１：パネル
５２：スイッチシート
５２Ａ：透光部
５２Ｂ：透光部
５２Ｃ：接続端子
５２Ｄ：下部接点
５２Ｅ：上部接点
５３：メインケース
５３Ａ：透光部
５３Ｂ：透光部
５３Ｓ：支柱
５４：配線基板
５４Ａ：接点
Ｍ：作業者
Ｓ：スイッチ
【図１】
2020021623.tif 000003
【図２】
2020021623.tif 000004
【図３】
2020021623.tif 000005
【図４】
2020021623.tif 000006
【図５】
2020021623.tif 000007